(57)【要約】【課題】Ａ／Ｄ変換器の分解能以上のビット深度のデータを得ることができる一次線走査装置を提供する。【解決手段】一次線走査装置（電子顕微鏡１００）は、試料Ｓを走査するための一次線の走査速度を制御可能な一次線走査装置であって、一次線を試料Ｓに照射することで得られた信号を検出して、アナログ信号を出力する検出器４０と、アナログ信号をサンプリングして、デジタル信号に変換するＡ／Ｄ変換器６３と、デジタル信号を平均化する演算部（デジタルフィルタ６４）と、を含む。【選択図】図２
2020047469.tif 000002
【特許請求の範囲】
【請求項１】
試料を走査するための一次線の走査速度を制御可能な一次線走査装置であって、
前記一次線を前記試料に照射することで得られた信号を検出して、アナログ信号を出力する検出器と、
前記アナログ信号をサンプリングして、デジタル信号に変換するＡ／Ｄ変換器と、
前記デジタル信号を平均化する演算部と、
を含む、一次線走査装置。
【請求項２】
請求項１において、
前記演算部で生成されたデータのビット深度を制限して出力するビット深度制限部を含む、一次線走査装置。
【請求項３】
請求項２において、
前記ビット深度制限部は、前記走査速度に応じて、前記データのビット深度を制限する、一次線走査装置。
【請求項４】
請求項２において、
前記データのビット深度の制限値の入力を受け付ける入力部を含み、
前記ビット深度制限部は、前記データのビット深度を、前記制限値に制限する、一次線走査装置。
【請求項５】
請求項１ないし４のいずれか１項において、
前記Ａ／Ｄ変換器は、前記アナログ信号を、所定のサンプリングレートでサンプリングする、一次線走査装置。
【請求項６】
請求項１ないし５のいずれか１項において、
前記演算部は、前記デジタル信号を平均化して、前記デジタル信号のビット深度を大きくする、一次線走査装置。
【請求項７】
試料を走査するための一次線の走査速度を制御可能な一次線走査装置のおける信号処理方法であって、
前記一次線を前記試料に照射することで得られた信号を検出器で検出する工程と、
Ａ／Ｄ変換器で前記検出器から出力されたアナログ信号をサンプリングして、デジタル信号に変換する工程と、
前記デジタル信号を平均化する工程と、
を含む、信号処理方法。
【発明の詳細な説明】
【技術分野】
【０００１】
本発明は、一次線走査装置および信号処理方法に関する。
【背景技術】
【０００２】
電子ビームや、イオンビーム、Ｘ線などの一次線を試料上で走査して得られた二次的信号（電子、特性Ｘ線等）を検出して分析や観察を行う一次線走査装置が知られている。このような一次線走査装置としては、例えば、走査透過電子顕微鏡（Scanning Transmission Electron Microscope、ＳＴＥＭ）、電子プローブマイクロアナライザー（Electron Probe Micro Analyzer、ＥＰＭＡ）、オージェマイクロプローブ（Auger Microprobe）、Ｘ線光電子分光装置（X-ray Photoelectron Spectrometer、ＸＰＳ）などが挙げられる（例えば特許文献１参照）。
【０００３】
例えば、走査電子顕微鏡では、電子ビームを試料に照射することで試料から放出された二次電子は、二次電子検出器で検出されて電気信号に変換される。走査電子顕微鏡では、この電気信号をＡ／Ｄ変換した後、画像処理を行って二次電子像（ＳＥＭ像）を生成する。試料上の各分析点で得られた電気信号は、画像処理により、ＳＥＭ像の１画素分の画像データに変換される。画像データのビット深度は、Ａ／Ｄ変換器の分解能を最大とし、その後の処理によっては減少する。
【０００４】
つまり、Ａ／Ｄ変換器の性能が、最終的なＳＥＭ像の１画素あたりのビット深度に直接的に影響を与える。
【先行技術文献】
【特許文献】
【０００５】
【特許文献１】特開２０１０−１６４４４２号公報
【発明の概要】
【発明が解決しようとする課題】
【０００６】
上記のような一次線走査装置において観察や分析を行う場合、観察や分析の目的に応じて、要求されるデータ量が変わってくる。しかしながら、データのビット深度は、Ａ／Ｄ変換器の性能に依存し固定である。そのため、よりビット深度の大きいデータを得るためには、より高分解能なＡ／Ｄ変換器が必要であった。
【課題を解決するための手段】
【０００７】
本発明に係る一次線走査装置の一態様は、
試料を走査するための一次線の走査速度を制御可能な一次線走査装置であって、
前記一次線を前記試料に照射することで得られた信号を検出して、アナログ信号を出力する検出器と、
前記アナログ信号をサンプリングして、デジタル信号に変換するＡ／Ｄ変換器と、
前記デジタル信号を平均化する演算部と、
を含む。
【０００８】
このような一次線走査装置では、Ａ／Ｄ変換器でアナログ信号をサンプリングしてデジタル信号に変換し、得られたデジタル信号を平均化するため、一次線の走査速度に応じて、デジタル信号のビット深度を変更できる。したがって、このような一次線走査装置では、Ａ／Ｄ変換器の分解能以上のビット深度のデータを得ることができる。
【０００９】
本発明に係る信号処理方法の一態様は、
試料を走査するための一次線の走査速度を制御可能な一次線走査装置のおける信号処理方法であって、
前記一次線を前記試料に照射することで得られた信号を検出器で検出する工程と、
Ａ／Ｄ変換器で前記検出器から出力されたアナログ信号をサンプリングして、デジタル信号に変換する工程と、
前記デジタル信号を平均化する工程と、
を含む。
【００１０】
このような信号処理方法では、Ａ／Ｄ変換器でアナログ信号をサンプリングしてデジタル信号に変換し、得られたデジタル信号を平均化するため、一次線の走査速度に応じて、デジタル信号のビット深度を変更できる。したがって、このような信号処理方法では、Ａ／Ｄ変換器の分解能以上のビット深度のデータを得ることができる。
【図面の簡単な説明】
【００１１】
【図１】第１実施形態に係る電子顕微鏡の構成を示す図。
【図２】第１実施形態に係る電子顕微鏡の信号処理部の構成を示す図。
【図３】第２実施形態に係る電子顕微鏡の信号処理部の構成を示す図。
【図４】走査速度情報出力部の構成の一例を示す図。
【図５】第３実施形態に係る電子顕微鏡の信号処理部の構成を示す図。
【発明を実施するための形態】
【００１２】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１３】
また、以下に説明する実施形態では、本発明に係る一次線走査装置として、電子ビームで試料を走査する電子顕微鏡を例に挙げて説明する。
【００１４】
１．  第１実施形態
１．１．  電子顕微鏡
まず、第１実施形態に係る電子顕微鏡について図面を参照しながら説明する。図１は、第１実施形態に係る電子顕微鏡１００の構成を示す図である。電子顕微鏡１００は、走査電子顕微鏡（ＳＥＭ）である。
【００１５】
電子顕微鏡１００は、図１に示すように、電子源１０と、光学系２０と、試料ステージ３０と、検出器４０と、制御部５０と、走査信号生成装置５２と、信号処理部６０と、画像処理部７０と、表示部８０と、を含む。
【００１６】
電子源１０は、電子を発生させる。電子源１０は、例えば、陰極から放出された電子を陽極で加速し電子ビームを放出する電子銃である。
【００１７】
光学系２０は、電子源１０から放出された電子ビームを試料Ｓに照射する。光学系２０は、コンデンサーレンズ２２と、対物レンズ２４と、偏向器２６と、を含む。
【００１８】
コンデンサーレンズ２２は、電子源１０から放出された電子ビームを集束させる。コンデンサーレンズ２２によって、電子ビームの径および電子ビームの電流量を制御することができる。
【００１９】
対物レンズ２４は、試料Ｓの直前に配置されている。対物レンズ２４は、電子ビームを
集束させて、電子プローブを形成する。対物レンズ２４は、例えば、コイルと、ヨークと、を含んで構成されている。対物レンズ２４では、コイルで作られた磁力線を、鉄などの透磁率の高い材料で作られたヨークに閉じ込め、ヨークの一部に切欠き（レンズギャップ）を作ることで、高密度に分布した磁力線を光軸ＯＡ上に漏洩させる。
【００２０】
偏向器２６は、電子ビームを二次元的に偏向させる。偏向器２６に走査信号が供給されることによって、電子ビームで試料Ｓ上を走査することができる。走査信号は、走査信号生成装置５２で生成される。
【００２１】
試料ステージ３０には、試料Ｓが載置される。試料ステージ３０は、試料Ｓを支持することができる。試料ステージ３０は、試料Ｓを移動させるための移動機構を含んで構成されている。試料ステージ３０で試料Ｓを移動させることにより、試料Ｓ上での電子ビームが照射される位置を変更できる。
【００２２】
検出器４０は、例えば、試料Ｓから放出された二次電子を検出する二次電子検出器である。検出器４０は、例えば、検出した二次電子の量に応じた信号を出力する。なお、検出器４０は、試料Ｓから放出された反射電子を検出する反射電子検出器であってもよい。
【００２３】
電子顕微鏡１００は、さらに、試料Ｓから放出された特性Ｘ線を検出するエネルギー分散型Ｘ線検出器、特性Ｘ線を分光素子で分光して検出する波長分散型Ｘ線分光器などの検出器を備えていてもよい。
【００２４】
制御部５０は、電子顕微鏡１００を構成する各部を制御する。制御部５０は、例えば、走査信号生成装置５２を介して、電子ビームで走査する領域の大きさ（すなわちＳＥＭ像の倍率）や、電子ビームの走査速度を制御する。電子顕微鏡１００では、電子ビームの走査速度が可変である。
【００２５】
制御部５０は、例えば、ＣＰＵ（Central Processing Unit）などのプロセッサと、ＲＡＭ（Random Access Memory）およびＲＯＭ（Read Only Memory）などの記憶装置と、を含む。記憶装置には、各種制御を行うためのプログラムおよびデータが記憶されている。制御部５０の機能は、プロセッサでプログラムを実行することにより実現できる。
【００２６】
走査信号生成装置５２は、制御部５０からの制御信号に基づいて走査信号を生成する。走査信号は、偏向器２６に送られる。
【００２７】
信号処理部６０は、検出器４０の出力信号に基づいて、画像データを生成する処理を行う。
【００２８】
画像処理部７０は、画像データに基づいてＳＥＭ像を生成し、表示部８０にＳＥＭ像を表示させる処理を行う。画像処理部７０は、例えば、ＣＰＵなどのプロセッサと、ＲＡＭおよびＲＯＭなどの記憶装置と、を含む。記憶装置には、各種画像処理を行うためのプログラムおよびデータが記憶されている。画像処理部７０の機能は、プロセッサでプログラムを実行することにより実現できる。
【００２９】
表示部８０は、画像処理部７０で生成された画像を出力する。表示部８０は、例えば、ＬＣＤ（liquid crystal display）などのディスプレイである。
【００３０】
図２は、信号処理部６０の構成を示す図である。
【００３１】
信号処理部６０は、図２に示すように、増幅器６１と、帯域制限フィルタ６２と、Ａ／
Ｄ変換器６３と、デジタルフィルタ６４（演算部の一例）と、メモリ６５と、ビット深度制限部６６と、を含む。
【００３２】
増幅器６１は、検出器４０から出力されたアナログ信号を増幅する。増幅器６１で増幅されたアナログ信号は、帯域制限フィルタ６２に送られる。
【００３３】
帯域制限フィルタ６２は、増幅されたアナログ信号の帯域を所定の帯域以下に制限する。帯域制限フィルタ６２で帯域が制限されたアナログ信号は、Ａ／Ｄ変換器６３に送られる。
【００３４】
Ａ／Ｄ変換器６３は、アナログ信号を所定のサンプリングレートでサンプリングして、デジタル信号に変換する。Ａ／Ｄ変換器６３で得られたデジタル信号は、デジタルフィルタ６４に送られる。
【００３５】
デジタルフィルタ６４は、デジタル信号を平均化して、画像データを生成する。平均化は、時系列のデジタル信号において、一定の区間ごとの平均値を、区間をずらしながら求めることで行われる。すなわち、平均化は、移動平均により行われる。デジタルフィルタ６４で生成された画像データは、メモリ６５に送られる。
【００３６】
メモリ６５は、画像データを記憶する。メモリ６５には、画像データが蓄積される。
【００３７】
ビット深度制限部６６は、画像データのビット深度を制限して、画像処理部７０に転送する処理を行う。ビット深度制限部６６は、例えば、画像データのビット深度をあらかじめ設定された制限値に制限して、画像処理部７０に転送する。
【００３８】
１．２．  動作
次に、電子顕微鏡１００の動作について説明する。
【００３９】
電子顕微鏡１００では、電子源１０から放出された電子ビームを、コンデンサーレンズ２２および対物レンズ２４で集束し、電子ビームを偏向器２６で二次元的に偏向させることで、電子ビームで試料Ｓ上を走査する。試料Ｓ上の各分析点（電子ビームの照射位置）から放出された二次電子は、検出器４０で検出される。
【００４０】
検出器４０から出力される電気信号（アナログ信号）は、信号処理部６０で画像データに変換される。信号処理部６０では、試料Ｓ上の各分析点の電気信号が、ＳＥＭ像の１画素分の画像データに変換される。画像処理部７０では、画像データに基づいてＳＥＭ像が生成され、表示部８０にＳＥＭ像が表示される。
【００４１】
信号処理部６０では、電子ビームの走査速度に応じて、画像データのビット深度を変更することができる。
【００４２】
例えば、電子顕微鏡１００において、電子ビームを最も速い走査速度で走査した場合、ＳＥＭ像の１画素に相当する領域に電子ビームが滞在して得られる電気信号（すなわち、検出器４０の出力信号）に対し、Ａ／Ｄ変換器６３がサンプリングする回数を１回とする。すなわち、電子ビームを最も速い走査速度で走査した場合、Ａ／Ｄ変換器６３は、１画素に相当する領域に電子ビームが滞在して得られる電気信号に対して、１回のサンプリングを行う。
【００４３】
また、Ａ／Ｄ変換器６３は、一定のサンプリングレートで電気信号をサンプリングする。すなわち、Ａ／Ｄ変換器６３における電気信号のサンプリングレートは、走査速度によ
らず、常に、一定である。
【００４４】
電子ビームの走査速度を、最も速い走査速度の１／２に減速した場合、１画素に相当する領域に電子ビームが滞在する時間は、２倍になる。そのため、Ａ／Ｄ変換器６３では、１画素に相当する領域に電子ビームが滞在して得られる電気信号に対して、２回のサンプリングが可能である。
【００４５】
同様に、電子ビームの走査速度を、最も速い走査速度の１／４に減速した場合、１画素に相当する領域に電子ビームが滞在する時間は、４倍になる。そのため、Ａ／Ｄ変換器６３では、１画素に相当する領域に電子ビームが滞在して得られる電気信号に対して、４回のサンプリングが可能である。
【００４６】
すなわち、電子ビームの走査速度を、最も速い走査速度の２−Ｎ倍に減速した場合、１画素に相当する領域に電子ビームが滞在する時間は、２Ｎ倍になる。そのため、Ａ／Ｄ変換器６３では、１画素に相当する領域に電子ビームが滞在して得られる電気信号に対して、２Ｎ回のサンプリングが可能である。
【００４７】
Ａ／Ｄ変換器６３でサンプリングされたデータ（デジタル信号）は、後段のデジタルフィルタ６４にて平均化処理されることで、平滑化される。また、このような平均化処理を行うことによって、データが平滑化されるだけでなく、データの分解能が向上する（オーバーサンプリング）。例えば、平均化するサンプル数が２つであれば分解能は１／２ビット向上し、平均化するサンプル数が４つであれば分解能は１ビット向上する。すなわち、平均化するサンプル数が２倍になると、分解能が１／２ビットずつ向上する。
【００４８】
したがって、信号処理部６０では、電子ビームの走査速度に応じて、画像データのビット深度を変更することができる。そのため、例えば、電子ビームの走査速度を遅くすればするほど、画像データのビット深度を大きくできる。これにより、信号処理部６０では、Ａ／Ｄ変換器６３の分解能以上のビット深度の画像データを得ることができる。
【００４９】
次に、ビット深度制限部６６について説明する。ビット深度制限部６６では、デジタルフィルタ６４で得られた画像データのビット深度を制限して出力する。
【００５０】
ここで、例えば、試料ＳのＳＥＭ像を表示部８０に表示させて観察を行うことが目的であるとする。表示部８０が１画素あたり８ビットまでの画像を表示可能であるとすると、画像データのビット深度を８ビットよりも大きくしても無駄である。また、画像データのビット深度が大きくなると、画像データのデータ量が膨大になり、広帯域のインターフェースが必要となる。また、画像処理部７０において、トラフィックが増大し、スループットが悪化してしまうおそれがある。
【００５１】
したがって、ビット深度制限部６６は、デジタルフィルタ６４で得られた画像データのビット深度が８ビットよりも大きい場合には、画像データのビット深度を８ビットに変更して画像処理部７０に転送する。また、ビット深度制限部６６は、デジタルフィルタ６４で得られた画像データのビット深度が８ビット以下の場合には、ビット深度を変えずに画像データを画像処理部７０に転送する。このように、ビット深度制限部６６は、画像データのビット深度を８ビットに制限する。
【００５２】
ここでは、ビット深度制限部６６が、画像データのビット深度を８ビットに制限する場合について説明したが、ビット深度制限部６６は、画像データを、あらかじめ設定された任意の制限値に制限することができる。
【００５３】
１．３．  特徴
電子顕微鏡１００は、例えば、以下の特徴を有する。
【００５４】
電子顕微鏡１００は、試料Ｓを走査するための電子ビームの走査速度を制御可能な電子顕微鏡であって、電子ビームを照射することで得られた試料Ｓからの二次電子（信号）を検出してアナログ信号を出力する検出器４０と、アナログ信号をサンプリングしてデジタル信号に変換するＡ／Ｄ変換器６３と、デジタル信号を平均化して画像データを生成するデジタルフィルタ６４と、を含む。
【００５５】
そのため、電子顕微鏡１００では、電子ビームの走査速度に応じて、画像データのビット深度を変更できる。したがって、電子顕微鏡１００では、Ａ／Ｄ変換器６３の分解能以上のビット深度の画像データを得ることができる。よって、電子顕微鏡１００では、例えば、高分解能のＡ／Ｄ変換器を実装しなくても、容易に画像データのビット深度を大きくすることができる。
【００５６】
電子顕微鏡１００では、デジタルフィルタ６４で生成された画像データのビット深度を制限するビット深度制限部６６を含む。そのため、電子顕微鏡１００では、画像処理部７０に、必要以上のデータが転送されて、トラフィックが増大することを防止することができる。
【００５７】
２．  第２実施形態
２．１．  電子顕微鏡
次に、第２実施形態に係る電子顕微鏡について、図面を参照しながら説明する。図３は、第２実施形態に係る電子顕微鏡２００の信号処理部６０の構成を示す図である。なお、電子顕微鏡２００の信号処理部６０以外の構成は、図１に示す電子顕微鏡１００の構成を同じであるため、図示および説明を省略する。
【００５８】
以下、第２実施形態に係る電子顕微鏡２００において、第１実施形態に係る電子顕微鏡１００の構成部材と同様の機能を有する部材については同一の符号を付し、その詳細な説明を省略する。
【００５９】
上述した電子顕微鏡１００では、ビット深度制限部６６は、画像データのビット深度を、あらかじめ設定された制限値に制限していた。
【００６０】
これに対して、電子顕微鏡２００では、ビット深度制限部６６は、電子ビームの走査速度に応じて、画像データのビット深度を制限する。
【００６１】
電子顕微鏡２００では、電子ビームの走査速度は、クイックスキャンＱＳ１、クイックスキャンＱＳ２、スロースキャンＳＳ１、スロースキャンＳＳ２の４段階から選択可能である。電子顕微鏡２００では、例えば、ＧＵＩ(Graphical User Interface)による操作を行うことで、４段階（ＱＳ１、ＱＳ２、ＳＳ１、ＳＳ２）の走査速度から、所望の走査速度を選択することができる。走査速度は、クイックスキャンＱＳ１が最も速く、２番目にクイックスキャンＱＳ２が速く、３番目にスロースキャンＳＳ１が速く、スロースキャンＳＳ２が最も遅い。
【００６２】
例えば、ユーザーがクイックスキャンＱＳ１を選択する指示を行った場合、制御部５０は、電子ビームがクイックスキャンＱＳ１に相当する走査速度で走査されるように制御信号を生成する。走査信号生成装置５２は、この制御信号に基づいて走査信号を生成し、偏向器２６に走査信号を供給する。この結果、電子ビームがクイックスキャンＱＳ１に相当する走査速度で走査される。
【００６３】
電子顕微鏡２００では、信号処理部６０は、電子ビームの走査速度の情報を出力する走査速度情報出力部６８を含む。走査速度情報出力部６８は、例えば、制御部５０から現在の走査速度情報を取得して、現在の走査速度情報を出力する。走査速度情報は、リミッター６６ａに送られる。
【００６４】
図４は、走査速度情報出力部６８の構成の一例を示す図である。走査速度情報出力部６８は、例えば、図４に示すように、制御部５０からの制御信号Ａに従い、４段階（ＱＳ１、ＱＳ２、ＳＳ１、ＳＳ２）の走査速度から、１つ選択して出力するセレクタ（マルチプレクサ）６８０を含んで構成されている。
【００６５】
ビット深度制限部６６は、図３に示すように、リミッター６６ａと、データ出力部６６ｂと、を含む。
【００６６】
リミッター６６ａは、走査速度に応じて、画像データのビット深度を制限する。リミッター６６ａは、例えば、走査速度情報出力部６８からの走査速度情報を受け付けて、走査速度に応じた制限値を設定し、画像データのビット深度を設定された制限値に制限する。
【００６７】
リミッター６６ａは、デジタルフィルタ６４で得られた画像データのビット深度が制限値よりも大きい場合には、画像データのビット深度を制限値に変更する。また、リミッター６６ａは、デジタルフィルタ６４で得られた画像データのビット深度が制限値以下の場合には、ビット深度を変えずに通過させる。
【００６８】
データ出力部６６ｂは、リミッター６６ａからの画像データを受け付けて、画像処理部７０に転送する処理を行う。
【００６９】
２．２．  動作
次に、電子顕微鏡２００の動作について説明する。以下では、上述した電子顕微鏡１００の例と異なる点について説明し、同様の点については説明を省略する。
【００７０】
例えば、電子ビームの走査速度をクイックスキャンＱＳ１とした場合、リミッター６６ａでは、制限値ＬＱＳ１が設定されて、画像データのビット深度が制限値ＬＱＳ１に制限される。ビット深度が制限された画像データは、データ出力部６６ｂから出力される。
【００７１】
なお、制限値ＬＱＳ１は、走査速度がクイックスキャンＱＳ２の場合の制限値ＬＱＳ２よりも小さい（ＬＱＳ１＜ＬＱＳ２）。そのため、画像データのビット深度を制限値ＬＱＳ１に制限することで、画像処理部７０への転送負荷を低減できる。
【００７２】
電子ビームの走査速度をクイックスキャンＱＳ２とした場合も同様に、リミッター６６ａでは、制限値ＬＱＳ２が設定されて、画像データのビット深度が制限値ＬＱＳ２に制限される。
【００７３】
また、例えば、電子ビームの走査速度をスロースキャンＳＳ２とした場合、デジタルフィルタ６４では、画像データのビット深度がＡ／Ｄ変換器６３の分解能以上に大きくなる。ここで、走査速度をスロースキャンＳＳ２とした場合、リミッター６６ａでは制限値が設定されずに、画像データを通過させる。すなわち、画像データは、デジタルフィルタ６４で得られたビット深度を維持したまま、データ出力部６６ｂから出力される。この結果、画像処理部７０には、Ａ／Ｄ変換器６３の分解能以上のビット深度の画像データが転送される。
【００７４】
電子ビームの走査速度をスロースキャンＳＳ１とした場合、スロースキャンＳＳ２とした場合と同様にリミッター６６ａにおいてビット深度を制限せずに画像データを通過させてもよい。また、電子ビームの走査速度をスロースキャンＳＳ１とした場合に、クイックスキャンＱＳ１とした場合と同様に、リミッター６６ａで画像データのビット深度を制限値ＬＳＳ１に（ＬＱＳ２＜ＬＳＳ１）制限してもよい。
【００７５】
このように、電子顕微鏡２００では、電子ビームの走査速度に応じて、画像データのビット深度を制限できる。したがって、電子顕微鏡２００では、目的に応じて、最適な画像データを容易に取得することができる。
【００７６】
例えば、電子顕微鏡２００では、光学系２０の調整や、視野探し、分析位置を探す場合などには、走査速度として、クイックスキャンＱＳ１を用いることができる。走査速度がクイックスキャンＱＳ１の場合、リミッター６６ａでは、画像データのビット深度の制限値が小さく設定されるため、画像処理部７０への転送負荷を低減できる。したがって、表示部８０には、ＳＥＭ像をリアルタイムに表示させることができ、ユーザーは、光学系２０の調整や、視野探しをストレスなく行うことができる。
【００７７】
また、例えば、電子顕微鏡２００において、試料Ｓの撮影や、分析を行う場合などには、走査速度として、スロースキャンＳＳ２を用いることができる。走査速度がスロースキャンＳＳ２の場合、リミッター６６ａでは、画像データのビット深度が制限されないため、画像処理部７０には、Ａ／Ｄ変換器６３の分解能以上のビット深度の画像データが転送される。したがって、精度の高い画像データを得ることができる。
【００７８】
電子顕微鏡２００では、上記のように走査速度に応じてビット深度の制限値を自動で変更するモードと、電子顕微鏡１００の例のようにビット深度をあらかじめ設定された制限値に制限するモードと、を備えていてもよい。電子顕微鏡２００では、この２つのモードをユーザーが任意に切り替えることができてもよい。
【００７９】
２．３．  変形例
例えば、上記では、電子ビームの走査速度に応じて、画像データのビット深度を制限していたが、リミッター６６ａで画像データのビット深度を制限しなくてもよい。すなわち、リミッター６６ａでは、常に、画像データのビット深度を制限せずに、デジタルフィルタ６４で得られたビット深度を維持したまま、画像処理部７０に転送してもよい。例えば、観察中にリアルタイムに分析を行う場合には、リミッター６６ａでビット深度を制限せずに、そのときの走査速度で得られた最大のビット深度の画像データを転送することが好ましい。
【００８０】
３．  第３実施形態
次に、第３実施形態に係る電子顕微鏡について、図面を参照しながら説明する。図５は、第３実施形態に係る電子顕微鏡３００の信号処理部６０の構成を示す図である。なお、電子顕微鏡３００の信号処理部６０以外の構成は、図１に示す電子顕微鏡１００の構成を同じであるため、図示および説明を省略する。
【００８１】
以下、第３実施形態に係る電子顕微鏡３００において、第１実施形態に係る電子顕微鏡１００および第２実施形態に係る電子顕微鏡２００の構成部材と同様の機能を有する部材については同一の符号を付し、その詳細な説明を省略する。
【００８２】
電子顕微鏡３００は、図５に示すように、画像データのビット深度の制限値の入力を受け付ける入力部９０を含む。また、信号処理部６０は、画像データのビット深度の制限値を設定する制限値設定部６９を含む。
【００８３】
入力部９０は、ユーザーによって入力された制限値の情報を信号に変換して、制限値設定部６９に送る処理を行う。入力部９０は、例えば、ボタン、キー、マイク、タッチパネルなどの入力機器により実現できる。ユーザーは、入力部９０を用いて、制限値を指定することができる。
【００８４】
制限値設定部６９は、入力部９０からの信号に基づいて、画像データのビット深度の制限値を設定する。これにより、リミッター６６ａでは、画像データのビット深度が、ユーザーによって指定された制限値に制限される。
【００８５】
電子顕微鏡３００では、ビット深度制限部６６は、画像データのビット深度を、ユーザーによって入力された制限値に制限するため、ユーザーは所望のビット深度の画像データを得ることができる。例えば、試料Ｓの観察や視野探しを行う場合には、ユーザーは制限値として小さな値を指定して、ストレスなく観察や視野探しを行うことができる。また、例えば、試料Ｓの撮影や分析を行う場合には、ユーザーは制限値として大きな値を指定して、または制限値を設定しないことで、精度の高いデータを得ることができる。
【００８６】
４．  その他
なお、本発明は上述した実施形態に限定されず、本発明の要旨の範囲内で種々の変形実施が可能である。
【００８７】
上述した第１実施形態では、図１に示すように、検出器４０が、試料Ｓから放出された二次電子（または反射電子）を検出する電子検出器である場合について説明したが、検出器４０は、試料Ｓから放出された特性Ｘ線を検出するＸ線検出器であってもよい。このようなＸ線検出器としては、エネルギー分散型Ｘ線検出器、波長分散型Ｘ線検出器が挙げられる。検出器４０がＸ線を検出する検出器である場合も、同様に、Ｘ線データのビット深度を走査速度に応じて変更できる。第２実施形態に係る電子顕微鏡２００および第３実施形態に係る電子顕微鏡３００についても同様である。
【００８８】
また、上述した第１実施形態では、本発明に係る一次線走査装置として、図１に示すように、走査電子顕微鏡を例に挙げて説明したが、本発明に係る一次線走査装置は、試料を走査するための一次線の走査速度を制御可能な装置であれば特に限定されない。ここで、一次線としては、電子ビームの他に、イオンビーム、Ｘ線、レーザー光線などが挙げられる。本発明に係る一次線走査装置としては、走査透過電子顕微鏡（ＳＴＥＭ）、電子プローブマイクロアナライザー（ＥＰＭＡ）、オージェマイクロプローブ、Ｘ線光電子分光装置（ＸＰＳ）などが挙げられる。第２実施形態に係る電子顕微鏡２００および第３実施形態に係る電子顕微鏡３００についても同様である。
【００８９】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００９０】
１０…電子源、２０…光学系、２２…コンデンサーレンズ、２４…対物レンズ、２６…偏向器、３０…試料ステージ、４０…検出器、５０…制御部、５２…走査信号生成装置、６０…信号処理部、６１…増幅器、６２…帯域制限フィルタ、６３…Ａ／Ｄ変換器、６４…デジタルフィルタ、６５…メモリ、６６…ビット深度制限部、６６ａ…リミッター、６６
ｂ…データ出力部、６８…走査速度情報出力部、６９…制限値設定部、７０…画像処理部、８０…表示部、９０…入力部、１００…電子顕微鏡、２００…電子顕微鏡、３００…電子顕微鏡
【図１】
2020047469.tif 000003
【図２】
2020047469.tif 000004
【図３】
2020047469.tif 000005
【図４】
2020047469.tif 000006
【図５】
2020047469.tif 000007